(57)【要約】      （修正有）【課題】優れた弾性、支持力、および強度を有するクッションを提供する。【解決手段】クッションはクッション体を備え、クッション体の周縁には内側へと陥没状に凹部が形成されている。クッション体は、上層と下層に位置する２個のクッションユニット２を有し、クッション体は主に枕として使用される。二層クッションユニット２はクッション体の支持性を強化することができ、凹部によりクッション体の弾性を向上することができる。しかも、各クッションユニット２の内面２１には、複数の凸粒２１１が形成されている。よって、使用者の頭部重量を効果的に支持し、クッションが変形することを抑制する。【選択図】図２
0003190369.tif 000002
【実用新案登録請求の範囲】
【請求項１】
クッション体を備え、
前記クッション体は、周縁に内側へ凹む陥没状の凹部が形成されており、上層および下層にそれぞれ位置する２個のクッションユニットを有することを特徴とするクッション。
【請求項２】
前記クッションユニットは、シート体を湾曲することで形成され、内面、及び前記内面に相対する外面を有し、周縁に第一側辺、第二側辺、第三側辺及び第四側辺が形成されている四辺形であり、前記第一側辺と前記第三側辺とが互いに対向して折畳まれた状態で粘着されており、
２個の前記クッションユニットは、一方の前記第一側辺と他方の前記第一側辺との間、および、一方の前記第三側辺と他方の前記第三側辺との間に、凹部が形成されていることを特徴とする請求項１に記載のクッション。
【請求項３】
２個の前記クッションユニットは、
一方の前記第二側辺と他方の前記第二側辺との間、および、一方の前記第四側辺と他方の前記第四側辺との間に、凹部が形成されているよう、
一方の前記第二側辺と他方の前記第二側辺とが粘着されており、
一方の前記第四側辺と他方の前記第四側辺とが粘着されていることを特徴とする請求項２に記載のクッション。
【請求項４】
前記クッションユニットは、スポンジ、ウレタンフォーム、ラテックス、或いは、形状記憶樹脂により形成されていることを特徴とする請求項２に記載のクッション。
【請求項５】
前記クッションユニットは、外面が一層の冷却ジェルシートにより覆われていることを特徴とする請求項１に記載のクッション。
【請求項６】
前記クッションユニットは、内面に複数の凸粒が形成されていることを特徴とする請求項２に記載のクッション。
【請求項７】
二つの前記クッションユニットのうち、
一方の内面において、前記第一側辺、前記第二側辺、前記第三側辺及び前記第四側辺の近傍にサポートクッションが設置されており、
他方の内面において、前記第二側辺、前記第三側辺、および前記第四側辺の近傍に、サポートクッションが設置されていることを特徴とする請求項２に記載のクッション。
【請求項８】
カバー体をさらに備え、
前記カバー体は、前記クッション体と同一形状を有する収容空間を有し、当該収容空間がファスナーにより開閉可能であり、前記クッション体を被覆することを特徴とする請求項１に記載のクッション。
【請求項９】
前記クッションユニットは、カバー部をさらに有し、
前記カバー部は、２個の縫製ラインを有し、内部が３個の充填空間に分割されており、前記充填空間に充填物が充填されており、
前記クッションユニットは、前記第一側辺及び前記第三側辺が前記縫製ラインに沿って互いに対向して折畳まれた状態で粘着されていることを特徴とする請求項２に記載のクッション。
【請求項１０】
前記充填物は、コットン、シルク或いは羽毛であることを特徴とする請求項９に記載のクッション。
【考案の詳細な説明】
【技術分野】
【０００１】
本考案はクッションに関する。
【背景技術】
【０００２】
人は、寝そべる、または、座る際に、クッションを使用する。
しかし、クッションが人の体重を支える弾性を備えていなければ、人は不快を感じ、或いは姿勢が悪くなり、長時間の使用で人体が傷つくことになる。
さらに、そのクッションが睡眠のための枕である場合、長期間の使用により、支持性または弾性が劣る枕では、つぶれ、弾性が衰え、或いは支持性が不足する等の欠点が生じる。
こうして、枕を使用する人の睡眠の質が劣化する。
【０００３】
特許文献１に開示するクッションは、枕体を備える。枕体は複数の縫製ラインを備える。枕体の相対する両側には、第一結合部及び第二結合部を有する。枕体内部は、各縫製ラインの間に複数の封鎖空間が設置されている。第一結合部及び第二結合部を結合することで、枕体を折畳むと空隙を形成する。
【０００４】
複数の充填物は、各封鎖空間に充填される。枕体を半分に折畳むと、同等の空隙を形成し、空隙により、枕体は良好な弾性及び支持性を有する。しかも、枕体内の独立した封鎖空間は、枕体内部の充填物の移動を防止することができ、これにより枕体がつぶれて変形する状況の発生を防止することができる。
【０００５】
上記した特許文献１は、枕体がつぶれて変形する状況の発生を防止する効果を有する。しかしながら、その弾性及び支持性には、不足がある。
そのため、人の頭部の重量を効果的に支持することができず、使用者は睡眠中に不快を感じ、睡眠姿勢が良くないことで、頚部のだるい痛み或いは寝違えの状況を招くおそれがある。
本考案は、従来の枕体構造の上記した欠点に鑑みてなされたものである。
【先行技術文献】
【特許文献】
【０００６】
【特許文献１】台湾実用新案公告第Ｍ４３７１３７号明細書
【考案の概要】
【考案が解決しようとする課題】
【０００７】
本考案は、従来のクッションの支持性が劣り及び弾性が不足することで、人の重量を効果的に支えることができず、クッションがつぶれ易いという欠点を解決することができる。
本考案の目的は、優れた弾性、支持力、および強度を有するクッションを提供することにある。
【課題を解決するための手段】
【０００８】
本考案によるクッションは、クッション体を備える。クッション体は、周縁に内側へ凹む陥没状の凹部が形成されており、上層および下層にそれぞれ位置する２個のクッションユニットを有する。
【０００９】
また、クッションユニットは、シート体を湾曲することで形成され、内面、及び前記内面に相対する外面を有し、周縁に第一側辺、第二側辺、第三側辺及び第四側辺が形成されている四辺形であり、第一側辺と第三側辺とが互いに対向して折畳まれた状態で粘着されている。
２個のクッションユニットは、互いに対向する位置に凹部が形成されている。
【００１０】
また、２個の前記クッションユニットは、一方の第二側辺と他方の第二側辺との間、および、一方の第四側辺と他方の第四側辺との間に、凹部が形成されているよう、一方の第二側辺と他方の第二側辺とが粘着されており、一方の第四側辺と他方の第四側辺とが粘着されている
【００１１】
また、クッションユニットは、スポンジ、ウレタンフォーム、ラテックス、或いは、形状記憶樹脂により形成されている。
【００１２】
また、クッションユニットは、外面が一層の冷却ジェルシートにより覆われている。
【００１３】
また、クッションユニットは、内面に複数の凸粒が形成されている。
【００１４】
また、二つのクッションユニットのうち、一方の内面において、第一側辺、第二側辺、第三側辺及び第四側辺の近傍にサポートクッションが設置されている。二つのクッションユニットのうち、他方の内面において、第二側辺、第三側辺、および第四側辺の近傍に、サポートクッションが設置されている。
【００１５】
また、カバー体をさらに備える。
カバー体は、クッション体と同一形状を有する収容空間を有し、収容空間がファスナーにより開閉可能であり、クッション体を被覆する。
【００１６】
クッションユニットは、カバー部をさらに有する。
カバー部は、２個の縫製ラインを有し、内部が３個の充填空間に分割されており、充填空間に充填物が充填されている。
クッションユニットは、第一側辺及び第三側辺が縫製ラインに沿って互いに対向して折畳まれた状態で粘着されている。
【００１７】
充填物は、コットン、シルク或いは羽毛である。
【００１８】
本考案のクッションは、以下の長所を有する。
（１）．本考案のクッション体は、相互に重なる上層クッションユニット及び下層クッションユニットにより構成され、二層のクッションユニットの方式により支持性を強化し、枕として使用する時には、使用者の頭部重量を効果的に支持することができ、優れた睡眠の質を提供することができる。
（２）．上、下層クッションユニットの間に形成する凹部により、使用者頭部の重量がクッションユニットを変形させる力を吸収することができ、即ち、上、下層クッションユニットは、凹部内において弾性で伸縮するため、クッションユニットのつぶれまたは変形を防止することができ、クッションユニットの内面には凸粒が形成されているため使用者頭部の重量を吸収することができる。
（３）．クッションユニットの各側辺に、サポートクッションが設置されているため、クッションユニットが使用者頭部の重量を受けると、中央が陥没し易く、これにより使用者の後頭部は圧迫を受けることがない。
（４）．クッションユニットの各側辺に、サポートクッションが設置されているため、使用者が横向きに寝る時、クッション体の側縁の高さは、使用者の肩幅に対応することができ、使用者の頚部は圧迫応力を受け難く、頚部のだるい痛み或いは寝違えの状況の発生を抑制することができる。
（５）．２個のクッションユニットの内の１個の第一側辺には、サポートクッションが設置されていないため、使用者が頭を高くして寝る習慣がある場合、クッションユニットの二つのサポートクッションを有する位置を頚部下方にすることができ、使用者が頭を低くして寝る習慣がある場合、クッションユニットの一つのサポートクッションを有する位置を頚部下方にすることができる。
（６）．２個のクッションユニットの内、１個の外面に冷却ジェルが設置されているため、夏季には頭部下方に涼しさを感じることができる。
【図面の簡単な説明】
【００１９】
【図１】本考案の一実施形態によるクッション体を示す斜視図である。
【図２】本考案の一実施形態によるクッションユニットを示す斜視図である。
【図３Ａ】本考案の一実施形態による一方のクッションユニットのサポートクッションを示す模式図である。
【図３Ｂ】本考案の一実施形態による他方のクッションユニットのサポートクッションを示す模式図である。
【図４】本考案の一実施形態によるクッションユニットが折畳まれた状態を示す模式図である。
【図５】本考案の一実施形態によるクッションユニットを示す斜視図である。
【図６】本考案の一実施形態によるクッションの使用状態を示す図１のＡ−Ａ線断面図である。
【図７】本考案の一実施形態によるクッションの使用状態を示す図１のＡ−Ａ線断面図である。
【図８】図１のＢ−Ｂ線断面図である。
【図９】本考案の一実施形態によるクッションの使用状態を示す模式図である。
【図１０】本考案の一実施形態によるクッションを示す模式図である。
【図１１】本考案の他の実施形態によるクッションを示す模式図である。
【考案を実施するための形態】
【００２０】
以下に図面を参照しながら本考案を実施するための最良の形態について詳細に説明する。
（一実施形態）
図１に示すように、本考案の一実施形態によるクッションは、クッション体１を備える。
クッション体１の周縁には、内側へと陥没状に凹部１１が形成されている。
クッション体１は、上層と下層にそれぞれ位置する２個のクッションユニット２を有する。
【００２１】
図２に示すように、本実施形態中では、各クッションユニット２は、それぞれシート体が湾曲して形成される。
しかも、その材質は、スポンジ、ウレタンフォーム、ラテックス或いは形状記憶樹脂の内の何れかである。
各クッションユニット２は、内面２１、及び内面２１に相対する外面２２を有し、しかも各クッションユニット２周縁には、それぞれ第一側辺２３、第二側辺２４、第三側辺２５及び第四側辺２６を有し、四辺形を形成する。
しかも、各クッションユニット２の内面２１には、複数の凸粒２１１が形成されている。
【００２２】
図３Ａ及び図３Ｂに示すように、さらに２個のクッションユニット２の内の何れかの内面２１の第一側辺２３、第二側辺２４、第三側辺２５及び第四側辺２６の近い位置、及び２個のクッションユニット２のもう一つの内面２１の第二側辺２４、第三側辺２５、第四側辺２６に近い位置に、サポートクッション３がそれぞれ設置されている。
【００２３】
図４及び図５に示すように、各クッションユニット２の第一側辺２３及び第三側辺２５は、互いに対向して内面２１へ向って折畳まれた状態で粘着されている。
さらに、各クッションユニット２のうち、一方の第二側辺２４と他方の第二側辺２４とが粘着されている。
各クッションユニット２のうち、一方の第四側辺２６と他方の第四側辺２６とが粘着されている。
【００２４】
図１に示すように、この後、２個のクッションユニットを重ねた後に粘着接合し、２個のクッションユニット２の周縁に凹部１１が形成されており、こうしてクッション体１を構成する。
２個のクッションユニット２の内の何れかの外面２２は、一層の冷却ジェルシート４に覆われる。
【００２５】
図６及び図７に示すように、本実施形態のクッション体１を枕として使用する。
２個のクッションユニット２の内の１個の第一側辺２３には、サポートクッション３が設置されていないため、もし使用者が頭を高くして寝る習慣がある場合、２個のクッションユニット２の二つのサポートクッション３を有する位置を、頚部下方にすることができる。
こうして、クッションユニット２は、サポートクッション３のサポートを受け、使用者の頭部に押されても、陥没する変形量が比較的少なくなる。
【００２６】
もし、使用者が頭を低くして寝る習慣がある場合、クッションユニット２の一つのサポートクッション３を有する位置を、頚部下方にすることができる。
こうして、クッションユニット２は、使用者の頭部に押されると、陥没する変形量は比較的大きくなる。
【００２７】
さらに、クッションユニット２の各側辺に、サポートクッション３が設置されるため、クッションユニット２が使用者頭部の重量を受けると、中央が陥没し頭の形に沿い易くなり、使用者の後頭部は圧迫を受けることがない。
【００２８】
また、クッション体１は、相互に重なる上、下層クッションユニット２により構成されるため、この二層クッションユニット２の形態は、サポート性が強化され、使用者の頭部重量を効果的に支持することができ、高い睡眠の質を提供することができる。
【００２９】
しかも、上、下層クッションユニット２の間に形成する凹部１１により、使用者頭部の重量が、クッションユニット２を変形させる力の一部を吸収することができる。
即ち、上、下層クッションユニット２は、凹部１１内において弾性で伸縮するため、クッションユニット２のつぶれや変形を防止することができる。
クッションユニット２の内面２１に設置する凸粒２１１もまた、使用者頭部の重量の吸収を助けることができ、クッションユニット２のつぶれや変形を防止することができる。
【００３０】
図８及び図９に示すように、クッションユニット２の各側辺に、サポートクッション３を設置するため、使用者が横向きに寝る時、クッション体１側縁の高さは、使用者の肩幅に対応することができ、使用者の頚部が圧迫応力を受け難くなり、頚部のだるい痛み或いは寝違えの状況の発生を抑制することができる。
【００３１】
図１０に示すように、クッション体１が汚れないよう、カバー体５を使用することができる。
カバー体５内には、収容設置空間５１を有し、及びファスナー５２により収容設置空間５１が開閉可能である。
収容設置空間５１の形態とクッション体１とは同一であるため、クッション体１の外を覆って被ることができる。図は、分解図である。
【００３２】
図１１は、本考案クッションユニットの他の実施形態である。
本実施形態のクッションユニット２Ａは、カバー部２１Ａを備える。
カバー部２１Ａは、２個の縫製ライン２２Ａを有する。
カバー部２１Ａは、３個の充填空間２３Ａに区画される。
３個の充填空間２３Ａには、充填物２４Ａが充填されている。
充填物２４Ａは、コットン、シルク或いは羽毛の内の何れか一種である。
カバー部２１Ａの相対する両側を、縫製ライン２２Ａに沿って、内側へと折り曲げ、粘着する。
【００３３】
本考案は、上述した実施形態に限定されるものではなく、考案の趣旨を逸脱しない範囲で種々の形態で実施可能である。
【００３４】
本考案は実用新案登録の要件である新規性を有し、従来の同類製品に比べ十分な進歩を有し、実用性が高く、社会のニーズに合致しており、産業上の利用価値は非常に大きいと出願人は考える。
【符号の説明】
【００３５】
１  クッション体
１１  凹部
２  クッションユニット
２１  内面
２１１  凸粒
２２  外面
２３  第一側辺
２４  第二側辺
２５  第三側辺
２６  第四側辺
３  サポートクッション
４  冷却ジェルシート
５  カバー部
５１  収容設置空間
５２  ファスナー
２Ａ  クッションユニット
２１Ａ  カバー部
２２Ａ  縫製ライン
２３Ａ  充填空間
２４Ａ  充填物
【図１】
0003190369.tif 000003
【図２】
0003190369.tif 000004
【図３Ａ】
0003190369.tif 000005
【図３Ｂ】
0003190369.tif 000006
【図４】
0003190369.tif 000007
【図５】
0003190369.tif 000008
【図６】
0003190369.tif 000009
【図７】
0003190369.tif 000010
【図８】
0003190369.tif 000011
【図９】
0003190369.tif 000012
【図１０】
0003190369.tif 000013
【図１１】
0003190369.tif 000014